(57)【要約】【課題】ＨＤＤ内蔵のＤＶＤレコーダを用いてＨＤＤ内の映像・音楽情報をダビング録画したＤＶＤに、その録画内容を表すタイトル等の情報を簡単で、正確に、かつ体裁良く印刷する。【解決手段】ＨＤＤ内蔵のＤＶＤレコーダがバスを介してプリンタとディジタルテレビに接続される。ユーザが選択した番組がＨＤＤから読出されてＤＶＤへダビング録画され（Ｓ１）、その番組に関する関連情報が読み込まれて記憶される（Ｓ２）。ユーザによって入力された録画日時等の付記情報が記憶される（Ｓ３）。関連情報と付記情報がＤＶＤレコーダに予め用意された複数種類のラベル様式に組み込まれて組込画像が作成され（Ｓ４）、ディジタルテレビへ出力される（Ｓ５）。ディジタルテレビ画面に表示された複数の組込画像の中からユーザによって所望の組込画像が選択され（Ｓ６）、プリンタに出力される（Ｓ７）。プリンタは受信した組込画像をＤＶＤの表面に印刷する。【選択図】図２
2007052889.tif 000002
【特許請求の範囲】
【請求項１】
ＩＥＥＥ１３９４シリアルバスを介して、ディスク表面への印刷が可能なプリンタ及びディジタルテレビジョン受像機（以下、ディジタルテレビという）と接続され、
前記ディジタルテレビから入力される映像・音楽情報が記録可能であり、かつ、読出し可能なＨＤＤ（Ｈａｒｄ  Ｄｉｓｃ  Ｄｒｉｖｅ）と、
前記ＨＤＤから読出した映像・音楽情報を、ユーザによって装着されたＤＶＤ（Ｄｉｇｉｔａｌ  Ｖｅｒｓａｔｉｌｅ  Ｄｉｓｃ）へ記録するＤＶＤ記録部とを備えたＩＥＥＥ１３９４シリアルバスに接続されるＨＤＤ内蔵のＤＶＤレコーダにおいて、
前記ＨＤＤから読出されて前記ＤＶＤにダビング録画される映像・音楽情報に関するタイトル、静止画の一部等の関連情報を抽出する関連情報抽出手段と、
前記関連情報抽出手段によって抽出された関連情報を一時的に記憶する関連情報記憶手段と、
ユーザがリモコン等の入力手段を介して入力する録画日時、コメント等の付記情報を記憶する付記情報記憶手段と、
前記関連情報記憶手段に記憶された関連情報と前記付記情報記憶手段に記憶された付記情報とを、予め設定された複数種類のラベル様式に組み込んだ形の画像（以下、組込画像という）として前記ディジタルテレビに対して出力するラベル様式画像出力手段と、
前記ディジタルテレビに出力された複数種類の組込画像の中からユーザが選択した組込画像の情報を前記プリンタに対して出力するラベル情報出力手段とを備え、
前記ＤＶＤ記録部による映像・音楽情報のダビング録画がなされたＤＶＤを、ユーザが前記ＤＶＤ記録部から取り出して前記プリンタに装着した後、前記ラベル様式画像出力手段によって前記ディジタルテレビに出力された複数種類の組込画像の中からユーザが所望の組込画像を選択すると、選択された組込画像の情報が前記ラベル情報出力手段によって前記プリンタに出力されて、前記ＤＶＤの表面に、録画された映像・音楽情報に関連する情報が、所望のラベル様式で印刷されることを特徴とするＩＥＥＥ１３９４シリアルバスに接続されるＨＤＤ内蔵のＤＶＤレコーダ。
【請求項２】
シリアルバスを介してプリンタと接続され、
前記シリアルバスを介して外部から入力される映像・音楽情報、又は内蔵するＨＤＤ等の記録媒体から読出される映像・音楽情報を、ユーザによって装着されたＤＶＤへ記録するＤＶＤ記録部を備えたシリアルバスに接続されるＤＶＤレコーダにおいて、
前記ＤＶＤに記録される映像・音楽情報に関するタイトル、静止画の一部等の関連情報を抽出する関連情報抽出手段と、
前記関連情報抽出手段によって抽出された関連情報を一時的に記憶する関連情報記憶手段と、
前記関連情報記憶手段に記憶された関連情報を前記シリアルバスを介して前記プリンタに対して出力するラベル情報出力手段とを備え、
前記ＤＶＤ記録部による前記ＤＶＤへの映像・音楽情報の記録がなされた後、記録された映像・音楽情報の関連情報が前記プリンタによってラベル様式で印刷されることを特徴とするシリアルバスに接続されるＤＶＤレコーダ。
【請求項３】
前記シリアルバスがＵＳＢであることを特徴とする請求項２に記載のシリアルバスに接続されるＤＶＤレコーダ。
【発明の詳細な説明】
【技術分野】
【０００１】
本発明は、ＩＥＥＥ１３９４シリアルバス等のシリアルバスを介してプリンタに接続されるＤＶＤ（Ｄｉｇｉｔａｌ  Ｖｅｒｓａｔｉｌｅ  Ｄｉｓｃ）レコーダに関する。
【背景技術】
【０００２】
大容量記録媒体としてのＨＤＤを内蔵したＤＶＤレコーダが知られている。この種のＤＶＤレコーダでは、接続したディジタルテレビからの映像・音楽情報を長時間（例えば、１０時間程度）ＨＤＤに記録しておき、事後においてユーザが好みの部分（番組）を選んで保存用にＤＶＤへダビング録画する使用方法が採られる。
【０００３】
そして、このようにして作成されたＤＶＤのディスク表面には、そのディスクに録画された内容が分かるように、番組のタイトルや録画日時等が記入されたラベルが貼付されることが多い。ラベルへの記入は、ユーザが手書きで行ったりプリンタを用いた印刷により行われる。
【０００４】
一方、ＭＤ（Ｍｉｎｉ  Ｄｉｓｃ）記録再生装置とラベル印字装置とを接続して、ＭＤ内に録音された曲の曲名や曲数等の情報をＭＤ記録再生装置からラベル印字装置へ送信させ、ラベル印字装置によってそれらの情報をラベルに印字させる技術が知られている（例えば、特許文献１参照）。
【０００５】
また、クライアントのパソコンに対してＷｅｂサーバからインターネット経由でラベルプリントサービスのページが送信され、ユーザがそのページに表示されたラベルの種類を選ぶと共にタイトル等の情報を入力すると、Ｗｅｂサーバの管理者が、それらの情報に基づいてラベルを作成し、作成されたラベルが郵便又は宅配便でユーザに届けられるようになったシステムが知られている（例えば、特許文献２参照）。
【０００６】
さらに、ＰＣシステムの標準ベイにディスクラベルプリンタを内蔵させ、ＰＣシステムからディスクラベルプリンタへ印刷のための情報を送信して、ディスクラベルプリンタに装着されたディスクの表面へ所望の文字、絵等を印刷させるようにしたディスクラベルプリンタが知られている（例えば、特許文献３参照）。
【特許文献１】国際公開第９９／０３１０２号パンフレット
【特許文献２】特開２００１−１２５８５６号公報
【特許文献３】特開平１１−３３９４４１号公報
【発明の開示】
【発明が解決しようとする課題】
【０００７】
上述のように、ＤＶＤレコーダを用いて所望の番組を録画したＤＶＤには、その録画内容が一目で分かるようにタイトルや録画日時等がユーザによって記入されたラベルが貼付されたり、ユーザによって直接ディスクの表面にペンを用いてタイトル等の内容を表す情報が記入される。ところが、上記のようにラベル又はディスク表面への記入をユーザ自身が行う場合、ユーザが番組タイトル等を誤って憶えていた場合には、正確ではない記載内容になってしまうことになるし、ユーザがいちいち番組タイトル等を憶えておかなければならない面倒さがある。
【０００８】
また、予め用意されているラベルに番組タイトル、録画日時等の情報を手書き記入又はプリンタを用いて印刷する場合、番組タイトル等の字数が多くなると記入又は印刷すべき情報がうまくラベル内に収まらないといった支障が生じる場合がある。
【０００９】
そこで、本発明は、ＤＶＤレコーダを用いて映像・音楽情報を録画したＤＶＤにその録画内容を表すタイトル等の情報を記入又はラベルに印刷して貼付する場合に、ユーザにとってタイトル等の情報を憶えておかなければならないといった面倒さがなく、タイトル等の情報を簡単で、正確に、かつ体裁良くＤＶＤのディスク面へと直接印刷でき、又はラベルに印刷することができるＤＶＤレコーダを提供することを目的とする。
【課題を解決するための手段】
【００１０】
上記目的を達成するために、請求項１の発明は、ＩＥＥＥ１３９４シリアルバスを介して、ディスク表面への印刷が可能なプリンタ及びディジタルテレビジョン受像機（以下、ディジタルテレビという）と接続され、前記ディジタルテレビから入力される映像・音楽情報が記録可能であり、かつ、読出し可能なＨＤＤ（Ｈａｒｄ  Ｄｉｓｃ  Ｄｒｉｖｅ）と、前記ＨＤＤから読出した映像・音楽情報を、ユーザによって装着されたＤＶＤ（Ｄｉｇｉｔａｌ  Ｖｅｒｓａｔｉｌｅ  Ｄｉｓｃ）へ記録するＤＶＤ記録部とを備えたＩＥＥＥ１３９４シリアルバスに接続されるＨＤＤ内蔵のＤＶＤレコーダにおいて、前記ＨＤＤから読出されて前記ＤＶＤにダビング録画される映像・音楽情報に関するタイトル、静止画の一部等の関連情報を抽出する関連情報抽出手段と、前記関連情報抽出手段によって抽出された関連情報を一時的に記憶する関連情報記憶手段と、ユーザがリモコン等の入力手段を介して入力する録画日時、コメント等の付記情報を記憶する付記情報記憶手段と、前記関連情報記憶手段に記憶された関連情報と前記付記情報記憶手段に記憶された付記情報とを、予め設定された複数種類のラベル様式に組み込んだ形の画像（以下、組込画像という）として前記ディジタルテレビに対して出力するラベル様式画像出力手段と、前記ディジタルテレビに出力された複数種類の組込画像の中からユーザが選択した組込画像の情報を前記プリンタに対して出力するラベル情報出力手段とを備え、前記ＤＶＤ記録部による映像・音楽情報のダビング録画がなされたＤＶＤを、ユーザが前記ＤＶＤ記録部から取り出して前記プリンタに装着した後、前記ラベル様式画像出力手段によって前記ディジタルテレビに出力された複数種類の組込画像の中からユーザが所望の組込画像を選択すると、選択された組込画像の情報が前記ラベル情報出力手段によって前記プリンタに出力されて、前記ＤＶＤの表面に、録画された映像・音楽情報に関連する情報が、所望のラベル様式で印刷されることを特徴とする。
【００１１】
請求項２の発明は、シリアルバスを介してプリンタと接続され、前記シリアルバスを介して外部から入力される映像・音楽情報、又は内蔵するＨＤＤ等の記録媒体から読出される映像・音楽情報を、ユーザによって装着されたＤＶＤへ記録するＤＶＤ記録部を備えたシリアルバスに接続されるＤＶＤレコーダにおいて、前記ＤＶＤに記録される映像・音楽情報に関するタイトル、静止画の一部等の関連情報を抽出する関連情報抽出手段と、前記関連情報抽出手段によって抽出された関連情報を一時的に記憶する関連情報記憶手段と、前記関連情報記憶手段に記憶された関連情報を前記シリアルバスを介して前記プリンタに対して出力するラベル情報出力手段とを備え、前記ＤＶＤ記録部による前記ＤＶＤへの映像・音楽情報の記録がなされた後、記録された映像・音楽情報の関連情報が前記プリンタによってラベル様式で印刷されることを特徴とする。
【００１２】
請求項３の発明は、請求項２の発明において、前記シリアルバスがＵＳＢであることを特徴とする。
【発明の効果】
【００１３】
本発明によれば、ＤＶＤレコーダを用いて映像・音楽情報を録画したＤＶＤにその録画内容を表すタイトル等の情報を記入又はラベルに印刷して貼付する場合に、ユーザにとってタイトル等の情報を憶えておかなければならないといった面倒さがなく、タイトル等の情報を簡単で、正確に、かつ体裁良くＤＶＤのディスク面へと直接印刷でき、又はラベルに印刷することができる。
【発明を実施するための最良の形態】
【００１４】
本発明を実施するための最良の形態について図面を参照して説明する。以下の実施形態では、本発明をＩＥＥＥ１３９４シリアルバス（以下、バスという）を介してディスク表面への印刷が可能なプリンタ及びディジタルテレビと接続されたＨＤＤ内蔵のＤＶＤレコーダに適用した場合について説明する。
【００１５】
図１は、本実施形態によるＨＤＤ２内蔵のＤＶＤレコーダ１と、このＤＶＤレコーダ１とバス３を介して接続可能なプリンタ４及びディジタルテレビ５の電気的ブロック構成を示す。このＤＶＤレコーダ１は、バス３を介してディジタルテレビ５と接続されており、ディジタルテレビ５から受信したストリームデータ（映像・音楽情報）を長時間に亘ってＤＶＤレコーダ１内のＨＤＤ２に録画することができる。また、同じくディジタルテレビ５から受信したストリームデータ（映像・音楽情報）を、光ピックアップ３０によってＤＶＤ記録再生部（請求項におけるＤＶＤ記録部）６内に装着されたＤＶＤ７に録画することができ、ＨＤＤ２に録画されたストリームデータ（映像・音楽情報）を読出してＤＶＤ７にダビング録画することもできる。
【００１６】
ＤＶＤレコーダ１は、装置の各部を制御するためのマイクロプロセッサ８を備えている。また、ＤＶＤレコーダ１は、ＩＥＥＥ１３９４インタフェース（以下、インタフェースという）９と、ＨＤＤ２等へ記録する映像・音楽情報又はＨＤＤ２等から読出した映像・音楽情報を一時的に保存するバッファメモリ１１と、バッファメモリ１１に保存される情報の中から抽出される番組タイトルや静止画の一部を一時的に記憶するＲＡＭ１２と、ＤＶＤレコーダ１全体の制御プログラムや後述する複数種類のラベル様式を格納したＲＯＭ１３を有している。
【００１７】
インタフェース９は、バス３を介して接続したプリンタ４及びディジタルテレビ５との間で制御用コマンドとその応答信号の送受信、及びストリームデータ（映像・音楽情報）の送受信を行うためのものである。プリンタ４及びディジタルテレビ５のそれぞれにＩＥＥＥ１３９４インタフェース（以下、インタフェースという）１４、１５が備えられている。
【００１８】
また、ＤＶＤレコーダ１は、リモコン１６から送信された赤外線信号を受信する赤外線信号受信部１７を有している。リモコン１６は、各種のキーからなるキー部１８と赤外線信号発信部１９とを有している。キー部１８には、電源キー２１、数字入力用のキー２２、カーソルキー２３、確定キー２４に加えて、ディジタルテレビ５からＨＤＤ２への番組録画やＨＤＤ２に録画された映像・音楽情報の中からその一部をＤＶＤ７へダビング録画するためのメニューを含む各種メニューの表示を指示するためのメニューキー２５が設けられている。なお、メニューキー２５を押下することによって表示されるメニュー画像は、その画像の情報がＤＶＤレコーダ１からインタフェース９及びバス３を介してディジタルテレビ５に送信されて、ディジタルテレビ５の画面２６に表示されるが、ＤＶＤレコーダ１自体に液晶パネル等の表示部を設けて、その表示部にメニュー画面が表示されるようにしてもよい。
【００１９】
プリンタ４は、ユーザによって装着されるＤＶＤ７の表面に直接印刷が可能な印刷部２７を有しており、マイクロプロセッサ２８によって印刷部２７とその他の動作部が制御される。また、プリンタ４は、プリンタ４全体の制御プログラムが格納されたＲＯＭ２９と、ＤＶＤレコーダ１から送信されてくるラベル情報（後に詳述）を一時的に記憶するＲＡＭ３１を有している。
【００２０】
次に、このＤＶＤレコーダ１によって、ＨＤＤ２内に録画された番組（映像・音楽情報）の中の一部をＤＶＤ７へダビング録画すると共に、そのダビング録画された内容を示す番組タイトル等の情報をプリンタ４によってＤＶＤ７の表面へ印刷させる手順について、図２のフローチャートを参照して説明する。
【００２１】
今、ＨＤＤ２にはディジタルテレビ５から受信した複数の番組（映像・音楽情報）が長時間に亘って記録されており、ユーザがリモコン１６のメニューキー２５を押下して表示させたメニュー画面に基づいて、ＨＤＤ２からＤＶＤ７へダビング録画する番組（例えば、先頭の番組Ａ）を選択したとすると、ＤＶＤレコーダ１のマイクロプロセッサ８は、ＲＯＭ１３に格納されたプログラムの中からダビング録画用のプログラムを読出してきて、そのプログラムに基づき、ユーザにより選択された番組ＡをＨＤＤ２から読出し、ＤＶＤ７へのダビング録画を実行する（Ｓ１）。
【００２２】
次に、ＤＶＤレコーダ１のマイクロプロセッサ８は、ユーザによって選択された番組Ａの関連情報を抽出し、ＲＡＭ１２内の所定のエリアに記憶する（Ｓ２）。例えば、関連情報が番組のタイトルと静止画であるとすると、番組のタイトルは、ＨＤＤ２のエントリディスクリプタから読み込まれ、静止画は、その番組の映像情報の最初の静止画から抽出される。関連情報としては、その他に番組のジャンル等がある。
【００２３】
そして、ユーザは、ステップＳ１に付随するダビング録画をする番組の選択に引き続いて、リモコン１６を用いて録画日時、コメント等の付記情報を入力し、ＤＶＤレコーダ１のマイクロプロセッサ８は、その入力された付記情報をＲＡＭ１２内の所定のエリアに記憶する（Ｓ３）。リモコン１６を用いた録画日時の入力は、例えば、数字入力用のキー２２を用いて行われ、コメント文の入力は、例えば、メニュー画面に表れる５０音の表示とカーソルキー２３と確定キー２４を用いて行われる。なお、ステップＳ１で開始されたＨＤＤ２からＤＶＤ７へのダビング録画は比較的短時間で終了するので、ダビング録画がなされたＤＶＤ７は、録画終了後にＤＶＤレコーダ１から排出され、ユーザによってプリンタ４の印刷部２７に装着される。
【００２４】
次に、ＤＶＤレコーダ１のマイクロプロセッサ８は、予めＲＯＭ１３に格納された複数種類のラベル様式の画像情報を読出すと共に、ＲＡＭ１２に記憶された関連情報と付記情報を読出し、関連情報と付記情報がラベル様式の画像に組み込まれた組込画像を作成し（Ｓ４）、バス３を介してディジタルテレビ５に出力する（Ｓ５）。ディジタルテレビ５の画面２６に表示される組込画像（ラベル様式）３２の例を図３に示す。この例では、ディスクのほぼ全面がラベル面に設定されて、上側にタイトル（例えば、番組Ａのタイトル）Ｔと、録画日（例えば、２００５、７、７）Ｄが表示され、下側に静止画Ｓが表示される。組込画像３２は、例えば、タイトルＴと録画日Ｄのみが表示されるものとか、録画日Ｄに代えてユーザが入力したコメントが表示されるものとか、ラベルの外形が長方形のものとか、種々のものが作成される。
【００２５】
また、図３の例では、ディジタルテレビ５の画面２６に１つの組込画像３２が表示され、ユーザによるリモコン１６の操作によって次々に組込画像（ラベル様式）３２が切替えて表示されるが、ディジタルテレビ５の画面２６に複数の組込画像（ラベル様式）３２が並べて表示されるようにしてもよい。
【００２６】
そして、ユーザは、ディジタルテレビ５の画面２６に表示される複数の組込画像（ラベル様式）３２の中から、リモコン１６のキー操作（例えば、カーソルキー２３と確定キー２４による操作）によって所望の組込画像（ラベル様式）３２を選択し（Ｓ６）、ＤＶＤレコーダ１のマイクロプロセッサ８は、バス３を介して、選択された組込画像３２の情報をラベル情報としてプリンタ４へ出力する（Ｓ７）。
【００２７】
プリンタ４のマイクロプロセッサ２８は、送信された組込画像３２の画像情報を一旦ＲＡＭ３１に記憶した後、印刷部２７を所定の手順に従って駆動させ、ＲＡＭ３１内に記憶された組込画像３２をディスク７の面上に印刷する。
【００２８】
以上のように、本実施形態のＨＤＤ内蔵のＤＶＤレコーダ１では、ＨＤＤ２からＤＶＤ７に所望の番組をダビング録画するに際して、番組タイトル等の情報を憶えておかなければならないといった面倒さがなく、タイトルＴ、録画日Ｄ等の情報を簡単で、正確に、かつ体裁良くＤＶＤ７のディスク面に印刷することができる。静止画Ｓがディスク面に印刷されるラベル様式が選択された場合には、タイトルＴだけでは内容が判別しにくい番組であっても、ユーザにとって、その内容の把握が容易になる。
【００２９】
なお、本実施形態では、ディスク表面への印刷が可能なプリンタ４を接続したが、ディスク表面への印刷が可能ではないプリンタ４を接続する場合には、ＤＶＤレコーダ１からプリンタ４に送信されるラベル情報は、プリンタ４によって、予め用意されたラベル用紙に印刷される。この場合、ステップＳ６においてディジタルテレビ５の画面２６に表示される選択候補の組込画像３２は、プリンタ４に用意されているラベル用紙に適合するもののみとなる。
【００３０】
また、本実施形態では、ＲＯＭ１３内に予め複数種類のラベル様式が格納されており、ＤＶＤレコーダ１のマイクロプロセッサ８が読出してきたラベル様式に関連情報と付記情報を組み込んで組込画像３２を作成するものであったが、複数種類のラベル様式の画像情報は、プリンタ４のＲＯＭ２９に格納させておき、ＤＶＤレコーダ１からプリンタ４へは関連情報と付記情報のみが送信され、それを受信したプリンタ４側で適合するラベル様式を選択し、そのラベル様式に関連情報と付記情報を組み込んで印刷するものであってもよい。
【００３１】
さらに、本実施形態では、録画日Ｄ等の付記情報がユーザによってリモコン１６を用いて入力され、その付記情報が関連情報と共に、ラベル様式に組み込まれるようになっているが、ラベル様式に組み込まれる情報は、ＨＤＤ２に記録された情報から抽出される関連情報のみとしてもよい。この場合には、さらにユーザの手間が省かれる。また、ＤＶＤレコーダ１とプリンタ４との間を、ＩＥＥＥ１３９４シリアルバスではなく、ＵＳＢを用いて接続してもよい。
【図面の簡単な説明】
【００３２】
【図１】本発明の一実施形態に係るＩＥＥＥ１３９４シリアルバスで接続されたＤＶＤレコーダとディジタルテレビとプリンタの電気的ブロック構成を示すブロック図。
【図２】上記ＤＶＤレコーダによるラベル印刷処理の手順を示すフローチャート。
【図３】上記ディジタルテレビの画面に表示される組込画像の一例を示す図。
【符号の説明】
【００３３】
１  ＤＶＤレコーダ
２  ＨＤＤ
３  ＩＥＥＥ１３９４シリアルバス
４  プリンタ
５  ディジタルテレビジョン受像機
６  ＤＶＤ記録再生部（ＤＶＤ記録部）
７  ＤＶＤ
８  マイクロプロセッサ（関連情報抽出手段、ラベル様式画像出力手段、ラベル情報出力手段）
１２  ＲＡＭ（関連情報記憶手段、付記情報記憶手段）
１６  リモコン
３２  組込画像
Ｔ  タイトル
Ｄ  録画日
Ｓ  静止画
【図１】
2007052889.tif 000003
【図２】
2007052889.tif 000004
【図３】
2007052889.tif 000005